(57)【要約】【課題】面倒な操作を要することなく携行時とか移動時及び作業時に利器の抜去事故が発生せず、安全性を高めるとともに緊急時には素早く利器を抜き取ることができて作業効率を高めた利器収納鞘を提供することを目的とする。【解決手段】２枚の側板を貼り合わせて鞘体を構成し、一方の側板の内面部分には利器の刀身が進入可能な凹部を形成して、該凹部の適宜位置に永久磁石を埋込固定したことにより、凹部内に進入させた刀身を永久磁石の磁力によって側板の内面に磁着固定するようにした利器収納鞘を基本構成とし、他の手段として中央部材の両側に２枚の側板を配置して鞘体を構成し、該中央部材の左右両側面に夫々利器の刀身が進入可能な２個の凹部を形成して、中央部材の略中間部で該中央部材を貫通する位置に永久磁石を埋込固定した利器収納鞘を提供する。前記刀身の進入方向と逆方向の側板もしくは中央部材の端部には空気抜き孔を形成してある。【選択図】図２
0003123852.tif 000002
【実用新案登録請求の範囲】
【請求項１】
利器の刀身を収納する利器収納鞘であって、利器収納鞘の内部に利器を磁着する磁石を装備することにより、利器収納鞘内において磁力によって利器の抜け落ちを防止することを特徴とする利器収納鞘。
【請求項２】
２枚の側板を貼り合わせて鞘体を構成し、一方の側板の内面部分には利器の刀身が進入可能な凹部を形成して、該凹部の適宜位置に永久磁石を埋込固定したことにより、凹部内に進入させた刀身を永久磁石の磁力によって側板の内面に磁着固定することを特徴とする利器収納鞘。
【請求項３】
中央部材の両側に２枚の側板を配置して鞘体を構成し、該中央部材の左右両側面に夫々利器の刀身が進入可能な２個の凹部を形成して、中央部材の略中間部で該中央部材を貫通する位置に永久磁石を埋込固定したことにより、各凹部内に進入させた異なる種類の利器の刀身を永久磁石の磁力によって中央部材の内面に磁着固定することを特徴とする利器収納鞘。
【請求項４】
前記刀身の進入方向と逆方向の側板もしくは中央部材の端部に空気抜き孔を形成した請求項２又は３記載の利器収納鞘。
【考案の詳細な説明】
【技術分野】
【０００１】
本考案は鋭利な刃物である鉈，鋸，ナイフ等の各種の利器を安全に収納して携行することができる利器収納鞘に関するものである。
【背景技術】
【０００２】
従来から通常の山林作業，農作業，土木作業等において鉈や鋸等各種の利器が使用されており、例えば山林作業では伐採等の必須の利器として鉈が利用されている。この鉈の不使用時には、刀身の保護に用いる鞘体内に該刀身部分を収納して作業者の腰に吊り下げる通称「腰鉈」と呼称される状態で携行し、作業場所を移動する方法が一般に用いられている。鉈は鋭利な刃物であるため、携行時にはスナップとかホック止形式の止帯等により鉈の把柄の部分を鞘体に止着固定して、抜けを防止することで安全性を高めているのが通例である。利器収納鞘としては木製の部材を貼り合わせて、刀剣類の鞘体と同様な構造に形成したものが多く採用されている。近時では高い硬度を持つ合成樹脂材料を利用した利器収納鞘もある。
【０００３】
特許文献１には、鋸や鉈等の刀身を鞘体に納めてスナップとか止帯等で止着する手段に代えて、刀身を支持する把柄を鞘内に強制嵌合するだけで鞘走りの無い確実な刀身の保持が出来る刃物の鞘を提供することを目的として、鞘体の刀身挿入開口側に刀身を支受した把柄の柄首部を保持する柄首強制保持部を設け、鞘体に刀身を納めた際に把柄の柄首部を柄首強制保持部に強制的に係合することで鞘走りの生じない刀身の鞘体への係着が出来るようにした鞘の構造が開示されている。
【０００４】
特許文献２には、片手で簡単に操作でき、しかも確実に鉈刃がロックできる鉈の鞘抜け防止具を提供することを目的として、鞘体の上縁に金属製バンドを巻き付け、ロック金具を垂直に支持する凹面を設け、中央部にロック金具を取り付ける穴を明け、該穴に鞘体の上縁を挟むように作用するスプリング式のロック金具を取り付けた鉈の鞘抜け防止具が開示されている。
【特許文献１】実用新案登録第３０３３５９４号
【特許文献２】実用新案登録第３００６０９２号
【考案の開示】
【考案が解決しようとする課題】
【０００５】
一般に山林作業は、通常の平坦地とは異なって傾斜地で行うものであるから、前記した「腰鉈」と呼称される状態で携行したり作業場所を移動する際に、鉈とか鋸の把柄が木の枝等に接触して抜け落ちてしまう事故が発生しやすく、他の作業者に当たって思わぬ怪我をしたり、利器の紛失事故等が生じる恐れがある。特に作業者が鉈の把柄の部分をスナップ等により鞘体に止着固定する操作は面倒であるため、この操作を省略して携行，移動するケースも多い。更に鞘を腰に吊り下げて樹木の上で剪定作業をするような場合には、利器の把柄が鞘に係着されていないと鞘が枝に引っ掛かかり、天地が逆になった場合には鞘から利器が抜け出して地上に落下してしまい、地上の者に危害を及ぼす危険性がある。
【０００６】
又、鉈等が地上に落下すると、以後の作業に支障を生じて作業効率が大幅に低下してしまう難点があるため、刀身を鞘体内に納めた際には簡単に抜去しない機構が付加されていることが望ましい。前記特許文献１，２に開示された鞘抜け防止具は、利器刀身の抜けを防止する効果はあるものの、鉈等の収納と取出及び収納時には、作業者の手操作ばかりでなく目視も必要であり、刀身を鞘体内に納めた際にスナップとか止帯等で止着しないケースも多く、かつ、緊急を要する場合に素早く利器を抜き取ることが困難であるという問題がある。
【０００７】
そこで本考案は上記従来の利器収納鞘が有している問題点に鑑みて、面倒な操作を要さずに携行時とか移動時及び樹木の上での作業時に利器の抜去事故が発生せず、安全性を高めるとともに緊急を要する場合には素早く利器を抜き取ることができて作業効率を高めた利器収納鞘を提供することを目的とするものである。
【課題を解決するための手段】
【０００８】
本考案は上記目的を達成するために、利器の刀身を収納する利器収納鞘であって、利器収納鞘の内部に利器を磁着する磁石を装備することにより、利器収納鞘内において磁力によって利器の抜け落ちを防止する利器収納鞘を基本構成としている。具体的には、２枚の側板を貼り合わせて鞘体を構成し、一方の側板の内面部分には利器の刀身が進入可能な凹部を形成して、該凹部の適宜位置に永久磁石を埋込固定したことにより、凹部内に進入させた刀身を永久磁石の磁力によって側板の内面に磁着固定するようにした利器収納鞘を提供する。
【０００９】
更に本考案では中央部材の両側に２枚の側板を配置して鞘体を構成し、該中央部材の左右両側面に夫々利器の刀身が進入可能な２個の凹部を形成して、中央部材の略中間部で該中央部材を貫通する位置に永久磁石を埋込固定したことにより、各凹部内に進入させた異なる種類の利器の刀身を永久磁石の磁力によって中央部材の内面に磁着固定するようにした利器収納鞘を提供する。前記刀身の進入方向と逆方向の側板もしくは中央部材の端部には空気抜き孔を形成してある。
【考案の効果】
【００１０】
本考案にかかる利器収納鞘によれば、作業者が所謂「腰鉈」と呼称される状態で利器を携行したり作業場所を移動する際にあっても、単に利器の刀身を鞘体内の凹部に進入させるだけの操作を行うだけで利器の刀身が永久磁石の磁力によって鞘体の内面に磁着固定されて簡単に抜去することがないので、移動時における安全性と携行性を高めることができる。特に従来例のように作業者が利器の把柄の部分を鞘体に止着固定するという面倒な操作と目視は不要であり、鞘体を腰に吊り下げて樹木の上で剪定作業をするような場合であっても、鞘体が枝に引っ掛かかることで利器が鞘体から抜去し、地上に落下したり紛失するような事故を防止することができる。
【００１１】
作業現場で鞘体から刀身を抜く際には、作業者が把柄を片手で掴み、永久磁石の磁力に抗して刀身を外方に引き抜くことで容易に使用可能となり、作業効率を高めることができる。又、請求項４に記載の構成によれば、利器の把柄を利用して刀身を鞘体内の凹部内に進入させた際に、余分な空気が空気抜き孔から外方に抜けるので、刀身の進入がスムーズに行えるという効果が得られる。
【００１２】
従って本考案によれば、格別面倒な操作を要することなく携行時とか移動時及び作業時における利器の抜け落ちとか紛失事故が発生せず、作業者本人及び他の作業者の安全性を高めるとともに緊急を要する場合でも素早く利器を抜き取ることが可能となり、作業効率を高めた利器収納鞘を提供することができる。
【考案を実施するための最良の形態】
【００１３】
以下図面に基づいて本考案にかかる利器収納鞘の最良の実施形態を説明する。図１は本考案の第１実施形態を示す側面図、図２は図１の要部側断面図であり、この実施形態では鉈等の利器を「１本差し」にして利用した実例である。図中の１は鞘体、２は利器の一つとしての鉈である。鞘体１は２枚の平板状側板１ａと１ｂとを貼り合わせて構成されており、図２に示すように一方の側板１ｂの内面部分には鉈２の刀身が進入可能な凹部３が形成されている。４は該凹部３の適宜位置に埋込まれた状態に固定された永久磁石である。
【００１４】
２ａは鉈２の把柄であり、２ｂは同刀身である。５は刀身２ｂの進入方向とは逆方向の側板１ａ，１ｂの端部に形成された空気抜き孔である。図２は図１の側面図から一方の側板１ａを取り外して、刀身２ｂを進入させた際の側板１ｂの内部を明らかにした図となっている。
【００１５】
永久磁石４の固定位置は適宜に選択すればよいが、図２に示したように、少なくとも刀身２ｂの進入方向先端部が該永久磁石４に接する位置であればよい。図３は前記鉈２に代えて、鋸６の把柄６ａを利用して刀身６ｂを前記側板１ａ，１ｂ間の凹部３内に進入させた例であり、図２と同様に一方の側板１ａを取り外して刀身６ｂを進入させた状況を示している。
【００１６】
かかる第１実施形態によれば、図２に示したように作業者が把柄２ａを利用して刀身２ｂを側板１ａ，１ｂ間の凹部３内に進入させた際に、余分な空気は空気抜き孔５から外方に抜けて刀身２ｂの進入がスムーズに行えるとともに、該刀身２ｂが永久磁石４の磁力によって側板１ｂの内面に磁着固定され、簡単に抜去することがない。これにより鉈２の移動時における安全性と携行性を高めたことが本考案の特徴となっている。作業現場で鞘体１から刀身２ｂを抜く際には、作業者が把柄２ａを片手で掴み、永久磁石４の磁力に抗して刀身２ｂを外方に引き抜くことで容易に使用可能となる。
【００１７】
図４は本考案の第２実施形態を示す側面図であり、この実施形態では、使用する利器として鉈２と鋸６の両方の利器を「２本差し」にして利用した実例である。この実施形態で使用する鞘体１は、図５（Ａ）に示す平板状側板１ａと、図５（Ｂ）に示す中央部材１ｃと、図５（Ｃ）に示す側板１ｂとを貼り合わせて構成されている。図６は鞘体１の挿入側の端面図であり、同図に示すように、中央部材１ｃの左右両側面には前記鉈２と鋸６の刀身２ｂ，６ｂが進入可能な凹部７ａ，７ｂが形成されている。図示例では側板１ｂの内面部分にも凹部８が形成されている。１ｄは必要に応じて側板１ａの表面側端面近傍に突設されたリブ、５は中央部材１ｃの端部に形成された空気抜き孔である。
【００１８】
４は永久磁石であり、図５（Ｂ）のＡ−Ａ断面図である図７に示すように、中央部材１ｃの略中間部に適宜位置に埋込まれて、左右方向に貫通する状態に固定されている。図８は側板１ａの平面図、図９は中央部材１ｃの平面図であり、図９に示したように、中央部材１ｃには前記刀身２ｂ，６ｂの進入に沿って側面形状が細くなるテーパが付与されている。図１０は第２実施形態における利器収納鞘の組み付け状態と各鉈２，鋸６の配置場所を分解して示す斜視図であり、図中の矢印に示すように中央部材１ｃを中心として側板１ａ，１ｂを組み付けて溶着等の手段で固定することで利器収納鞘が完成する。
【００１９】
かかる第２実施形態によれば、作業者が図４に示す鋸６の把柄６ａを利用して刀身６ｂを図６に示す側板１ｂと中央部材１ｃ間の凹部７ｂ，８内に進入させ、次に鉈２の把柄２ａを利用して刀身２ｂを中央部材１ｃと側板１ａ間の凹部７ａに進入させると、余分な空気は空気抜き孔５から外方に抜けて刀身２ｂ，６ｂの進入がスムーズに行えるとともに、該刀身２ｂ，６ｂがともに永久磁石４の磁力によって簡単に抜去することがなく、安全性と携行性を高めることができる。又、作業現場で鞘体１から鋸６もしくは鉈２の刀身６ｂ，２ｂを抜く際には、作業者が把柄６ａ，２ａの何れかを片手で掴み、永久磁石４の磁力に抗して刀身６ｂもしくは２ｂを外方に引き抜くことで容易に作業を開始することができる。
【産業上の利用可能性】
【００２０】
以上詳細に説明したように、本考案によれば利器の刀身を鞘体内の凹部に進入させるだけの操作を行うだけで、利器の刀身が永久磁石の磁力によって鞘体の内面に磁着固定されて簡単に抜去することがないので、利器収納鞘内において各種の利器を磁力によって抜け落ちを防止することができる。よって、移動時における携行性が高い上、作業時における作業者本人及び他の作業者の安全性を高めることができるとともに、鞘体から刀身を抜く際にも作業者が永久磁石の磁力に抗して刀身を外方に引き抜くことで容易に使用可能となるので、作業効率を高めることができる。従って一般の山林作業，農作業，土木作業等における鉈や鋸その他各種の利器を使用する場合に利用して有用である。
【図面の簡単な説明】
【００２１】
【図１】本考案の第１実施形態を示す側面図。
【図２】図１の要部側面図。
【図３】利器として鋸の刀身を鞘体内に進入させた例を示す要部側面図。
【図４】本考案の第２実施形態を示す側面図。
【図５】図５（Ａ）は第２実施形態に使用する側板の側面図、図５（Ｂ）は同中央部材の側面図、図５（Ｃ）は同側板の側面図。
【図６】第２実施形態にかかる鞘体の挿入側の端面図。
【図７】図５（Ｂ）のＡーＡ断面図。
【図８】第２実施形態に使用する側板の平面図。
【図９】第２実施形態で使用する中央部材の平面図。
【図１０】第２実施形態における利器収納鞘の組み付け状態と利器の配置場所を分解して示す斜視図。
【符号の説明】
【００２２】
１…鞘体
１ａ，１ｂ…側板
１ｃ…中央部材
１ｄ…リブ
２…鉈
２ａ，６ａ…把柄
２ｂ，６ｂ…刀身
３，７，７ａ，７ｂ，８…凹部
４…永久磁石
５…空気抜き孔
６…鋸
【図１】
0003123852.tif 000003
【図２】
0003123852.tif 000004
【図３】
0003123852.tif 000005
【図４】
0003123852.tif 000006
【図５】
0003123852.tif 000007
【図６】
0003123852.tif 000008
【図７】
0003123852.tif 000009
【図８】
0003123852.tif 000010
【図９】
0003123852.tif 000011
【図１０】
0003123852.tif 000012